(57)【要約】【課題】収納を容易にし、さまざまな絵画用具を整えられた方式で収納するための収納構成を有する水彩画用キットを提供する。【解決手段】中央本体、中央本体と着脱可能に係合できるパレット、およびさまざまな絵筆を有する水彩画用キットを提供する。中央本体はその中に複数の水供給室を有する。パレットはさまざまな色のブロックを担持する色供給部分を含む。色ブロックは、パレットにおける開口部の中にスナップばめされる受部材に収容されている。受部材は、受部材の除去と挿入を容易にするための延長部を有する。作業構成では、パレットの上に位置するガイドが中央本体上のスリットと係合して、パレットを中央本体に連結する。収納構成では、パレットは中央本体から外されて、水供給室の上に収納される。複数使用者の実施形態では、キットは中央本体に係合された複数のパレットを含む。【選択図】　　　図１
2004066800.tif 000002
【特許請求の範囲】
【請求項１】
複数の水供給室を中に有する中央本体と、
中央本体と着脱可能に係合できる複数のパレットと
を含む水彩画用キット。
【請求項２】
水供給室を中に有する中央本体と、
中央本体と着脱可能に係合することができ、中に複数の開口部を備えた色供給部分を有するパレットと、
それぞれが、それぞれの色ブロックを担持し、パレットの色供給部分内でそれぞれの開口部に配置されている複数の受部材と
を含む水彩画用キット。
【請求項３】
各受部材がそのそれぞれの開口部に着脱可能に係合できる請求項２に記載の水彩画用キット。
【請求項４】
各受部材がそれから延びた延長部を有する請求項２に記載の水彩画用キット。
【請求項５】
各受部材が前端部と後端部とを有し、延長部が受部材の前端部に位置し、各受部材がさらにその前端部に移動止めを含む請求項４に記載の水彩画用キット。
【請求項６】
各受部材がそれから延びるリップを有する請求項２に記載の水彩画用キット。
【請求項７】
リップが受部材の周辺部の周りにある請求項６に記載の水彩画用キット。
【請求項８】
パレット上に配置される第１インターロック部材と中央本体上に配置される対応する第２インターロック部材とを有し、第１および第２インターロック部材は互いに係合してパレットを中央本体に着脱可能に連結する請求項２に記載の水彩画用キット。
【請求項９】
第１インターロック部材がガイドであり、第２インターロック部材がスリットであり、ガイドはスリットの中に滑り込むように寸法決定されている請求項８に記載の水彩画用キット。
【請求項１０】
開口部を中に有するパレットと、
開口部の中に取外し可能に配置されるように寸法決定された受部材と、
受部材に固定された色ブロックと
を含む水彩画用キット。
【請求項１１】
受部材がパレット内の開口部にスナップばめされる請求項１０に記載の水彩画用キット。
【請求項１２】
受部材がそれから延びるリップを含む請求項１０に記載の水彩画用キット。
【請求項１３】
受部材が、前端部と、前端部から外向きに突出する延長部とを有する請求項１０に記載の水彩画用キット。
【請求項１４】
受部材の前端部に移動止めをさらに含む請求項１１に記載の水彩画用キット。
【請求項１５】
複数の開口部を中に有するパレットと、
それぞれが、パレットの複数の開口部のそれぞれの１つに取外し可能にはめ込まれるように寸法決定された複数の受部材と、
それぞれが、複数の受部材のそれぞれの１つに固定された複数の色ブロックとを含む水彩画用キット。
【請求項１６】
水供給室を中に有する中央本体と、
色供給部分を有するパレットと、
パレットが中央本体に取り付けられる作業構成と、
パレットが中央本体から取り外される収納構成と
を含む水彩画用キット。
【請求項１７】
収納構成ではパレットが水供給室上に配置される請求項１６に記載の水彩画用キット。
【請求項１８】
開口部、および開口部を囲む開口縁部を有する１つのパレットと、
前端部と後端部とを有する受部材と、
受部材の前端部において外向きに突出する延長部と、
受部材の後端部において外向きに突出するリップと、
受部材の前端部に配置される第１移動止めと、
受部材の後端部に配置される第２移動止めと
を含み、
受部材は、開口縁部が延長部と第１移動止めとの間、およびリップと第２移動止めとの間に配置されるように開口部にスナップばめされる水彩画用キット。
【発明の詳細な説明】
【０００１】
【発明の属する技術分野】
本発明は、一般に絵画用キットに関し、より詳細には子供用の水彩画用キットに関する。
【０００２】
【従来の技術】
水彩絵の具で絵を描くには、一般に水容器、先端に毛の束を有する絵筆、およびさまざまな水彩絵の具を備えているパレットの使用を必要とする。一般的に、水容器とパレットは絵を描くための準備の際にそろえる必要がある別体である。複数の描き手がいる場合、各描き手がそれぞれ水容器、パレット、および少なくとも１本の絵筆を有する。絵画用具の分離や紛失を防ぐために、多くの描き手のための用具を１つの場所に整えられた形で置いておける水彩画用キットを提供することが望ましい。
【０００３】
典型的なパレットでは、水彩絵の具は、互いに離隔されてパレットと一体になっている丸い入れ物の中に入れらている。各水彩絵の具は概して入れ物と同じ形状を有し、入れ物の側部と同じ高さにある。描くためには、絵筆を水容器の中に浸して濡らしてから、選んだ水彩絵の具の上を掃くようにその絵の具を絵筆に移し、次いで描画表面の上を掃くように絵の具を絵筆から描画表面に移す。描き手が絵の具を選ぶことができる標準的な絵の具セットが提供されている。一般的に、パレット内の個々の絵の具を取り換えることは不可能である。描き手は一般にパレットの上にある特定の色の絵の具を好む。ある描き手が特定の色を好きでない場合でも、その描き手はその色をもっと望ましい色で置き換えることができない。その結果、好きな色はより頻繁に利用されて速く消耗する。絵の具はパレットに一体的に取り付けられ、個々の絵の具を置き換えることを不可能にしているため、好きな色を補充するためには、パレット全体を取り換えることが必要になる。パレット全体を取り換える必要性を避けるために、絵の具がなくなったらそれぞれを個別に補充することができる交換可能な絵の具を伴うパレットを有することが望ましい。さらに、交換可能な絵の具によって、描き手はパレット内に好きな色だけを含むようにすることができる。
【０００４】
【発明が解決しようとする課題】
描き手が描き終えると、絵画用具は後の使用のために収納される。収納を容易にするためには、さまざまな絵画用具を整えられた方式で収納するための収納構成を有する水彩画用キットを提供することが望ましい。
【０００５】
【課題を解決するための手段】
中央本体、中央本体と着脱可能に係合できるパレット、および複数の絵筆を有する水彩画用キットを開示する。中央本体はその中に複数の水供給室を備える。パレットはさまざまな色のブロックを担持する色供給部分を含む。色ブロックは、パレットの開口部に係合可能にはまっている受部材に固定されている。本発明の一実施態様では、受部材はその周辺部の周りにリップを有し、受部材がパレットの開口部に係合すると、受部材を開口部に整列させる。
【０００６】
受部材は、受部材の取り外しと挿入を容易にするための延長部を有する。開口部から受部材を外すためには、上向きの力を延長部にかけて受部材を開口部から外す。受部材を開口部に挿入するためには、下向きの力を、受部材が開口部の中に挿入されるまで延長部にかける。受部材上に移動止めを設けて、受部材を開口部にスナップばめの形で固定してもよい。
【０００７】
作業構成は、パレットに位置するガイドが中央本体のスリットと係合して、パレットを中央本体に連結する。収納状態では、パレットは中央本体から外されて水供給室の上に収納される。
【０００８】
本発明の別の実施態様では、複数の使用者が使用できる水供給キットが設けられている。この構成では、水供給キットは中央本体を含み、中央本体は複数の水供給室と中央本体に着脱可能に係合された複数のパレットとを有する。水供給室の数はパレットの数に対応することが好ましい。各パレットはその上に位置するガイドを有し、中央本体上で対応するスリットに係合する。収納構成では、各パレットは中央本体から外れて、それぞれの水供給室に収納される。
【０００９】
本発明のその他の目的、特徴、および利点は、下記の詳細な説明から当業者には明白になろう。しかしながら、詳細な説明と特定の実施例は本発明の好ましい実施形態を示すとともに例示のためであって限定するためのものではないことを理解されたい。本発明の範囲内で多くのさまざまな変更と修正を本発明の意図から逸脱することなく行うことができ、本発明はこのような修正のすべてを含むものである。
【００１０】
本発明は添付の図面を参照することによってさらに容易に理解されよう。
【００１１】
図面にいくつかの図を通じて、同様な参照番号は同様な部分を示すものである。
【００１２】
【発明の実施の形態】
本発明による水彩画用キット１０の好ましい実施形態を図１に示す。キット１０は好ましくは、中央本体１２、中央本体１２と着脱可能に係合できるパレット１４、および複数の絵筆１６、１８、２０を含む。中央本体１２は成形プラスチックで形成されることが好ましく、その中に水供給室２２を含む。図１から図３に示す実施形態では、キット１０は１人の使用者のために適するようになっており、１つのパレット１４を含む。中央本体１２は仕切り２１によって分けられた２つの水供給室２２を有している。本発明の好ましい実施形態では、１人の使用者のキットは単一のパレット１４と単一の水供給室２２とを含んでいる。図５から図７までに示す実施形態では、キット１０は複数の使用者が使用するようになっている。特に、図５から図７は４人の描き手のために適するようになっている水彩画用キットであり、４つのパレット１４と４つの水供給室２２とを含んでいる。本発明が図示された実施形態に限定されるものではなく、いかなる個数のパレットおよび水供給室にも適応するように変更できることを理解されたい。
【００１３】
各パレット１４は色供給部分２４とトレイ２６とを含む。トレイは、使用しないときに絵筆を置くための場所として使用することができる。本発明の好ましい実施形態では、トレイ２６は凹状の上表面２８を有し、この表面は、濡れた絵筆をこの上に置いたときに絵筆からの過剰な液体を保持するためのものである。パレットの色供給部分２４は複数の色ブロック３０を含む。各色ブロック３０は、半円形の断面を有する水彩絵の具材料の固形の塊状であることが好ましく、この色ブロックの底部３２は図２および図６に最もよく示されているように矩形の形状であることが好ましい。色ブロック３０には赤、青、黄、緑、および紫などのさまざまな色のものを用いることができる。色ブロックはどんな望みの色によっても準備することができ、ここに列挙した色に限定されるものではない。選ばれた色は近くの色ブロックが調和していることが好ましく、また特に子供たちのためには、若い描き手たちの関心を惹きつける比較的明るい色を含めることが望ましい。
【００１４】
図２および図６に最もよく示されているように、個別の色ブロック３０は受部材４０に収容されている。受部材４０は、色ブロック３０の底部３２を受け入れるように寸法決定された凹部４２を含むことが好ましい。色ブロック３０を受部材４０の凹部４２の中に確実に収容して固定するために、接着剤やその他の適当なエレメントなどの固定エレメントが準備される。望むときに色ブロック３０を受部材４０から除去することができるように色ブロック３０を受部材に取外し可能に収容することが好ましい。
【００１５】
本発明の好ましい実施形態では、図２と図６とに示すように、パレット１４の色供給部分２４は、受部材４０を受け入れることができるように寸法を決めた複数の矩形開口部４４を含むことが好ましい。開口部４４の寸法は、受部材４０を開口部４４にスナップばめまたは押しばめできるように受部材４０と実質的に同じであることが好ましい。色供給部分２４と受部材４０は、受部材４０を色供給部分２４の開口部４４に容易にスナップばめしてパチンとはまるように、しなやかな弾性のある材料で作られる。本発明の一実施形態では、色供給部分２４と受部材４０は成形されたプラスチックで構成されている。
【００１６】
受部材４０は、色供給部分２４の開口部４４から受部材４０を外し易いように延長部５０を含むことが好ましい。図２には、トレイ２６と反対側へパレットから外向きに延びる延長部５０が示されている。ある好ましい実施形態では、延長部５０はトレイ２６の方に内側に向かって延びていてもよい（図示せず）。受部材４０を外すために、使用者は上向きの力を延長部５０にかけて、受部材４０を開口部４４から飛び出させる。また延長部５０は、受部材４０を開口部４４に容易に挿入する際にも使用することができる。受部材４０をパレット１４の色供給部分２４に収容する際に、受部材４０を開口部４４と整列させ、受部材４０が開口部４４にパチンとはまるように下向きの力を延長部５０に加える。
【００１７】
本発明のある好ましい実施形態では、受部材４０は、受部材の下向きの動きを制限するために開口部４４の縁部４８に接して止まるリップ５６を含む。本発明の一実施形態では、リップ５６は受部材４０の周辺部に沿って延びている。本発明の別の実施形態では、リップ５６は受部材４０の後端部５４に配置され、延長部は受部材４０の前端部５２に配置されている。
【００１８】
受部材４０を確実に開口部４４に固定保持させるために、受部材４０は（図４に示すように）移動止め４６を備えていることが好ましい。移動止め４６は開口部４４の縁部４８と係合して摩擦ばめまたは押しばめを実現し、受部材４０の動きを開口部に対して制限する。特に、受部材４０が開口部４４にスナップばめされるとき、移動止め４６は、開口縁部４８が移動止め４６と延長部５０との間に配置されるように開口縁部４８を通り過ぎる。移動止め４６と延長部５０との間における縁部４８の位置は、垂直方向における受部材の動きを制限する。図４では、移動止め４６は受部材の前端部５２の上に示されている。本発明の別の好ましい実施形態では、移動止め４６は受部材４０の後端部５４にも設けられている。
【００１９】
取外し可能な受部材４０を用いることによって、使用者はパレット１４の色ブロック３０の順序を変えることができる。さらに、個別の色ブロック３０を、パレット１４全体を取り換えることを必要とせずに取り換えることもできる。本発明のある好ましい実施形態では、受部材４０は再使用可能であり、その中の色ブロックが使い果たされると、新しい色ブロック３０を受部材４０の中に入れることができる。ある代替実施形態では、受部材は使捨てである。ある色ブロックを使い果たすと、受部材は捨てられて、新しい受部材に接着された色ブロックと置き換えられる。
【００２０】
図１に示すように、キット１０の中の絵筆１６、１８、２０はほぼ同じ構造を有し、彩色縁部の幅だけが異なることが好ましい。小型の絵筆１６は１個の色ブロック３０の幅に合う幅を有するヘッド６０を有することが好ましく、中型の絵筆１８は２個の色ブロックの幅に合う幅のヘッド６２を有することが好ましく、大型の絵筆２０は３個の色ブロックに合う大きさのヘッド６４を有することが好ましい。本発明はここに記載する絵筆の数と絵筆の正確な幅に限定することを意図するものではない。キット１０は使用者の好みに応じて様々な幅を有する絵筆を何本でも備えることができることを企図している。柄の先端に毛の束を有する一般的な絵筆も使用できることはいうまでもない。
【００２１】
各絵筆は、ブレード６８とブレード６８に固定されたスピンドルまたは棒状の柄６６を含むことが好ましい。本発明の好ましい一実施形態では、ブレード６８と柄６６は適当な成形されたプラスチックによって形成されている。ブレード６８は、柄６６から比較的薄くて丸い外側の彩色縁部６８へ向かうにつれて僅かに先細にテーパーを付けられた断面を有することが好ましい。ブレード６８は比較的薄い吸水性カバー７０によって覆われている。本発明の好ましい一実施形態では、カバー７０は軟質ポリウレタンなどのスポンジ・プラスチック材料でできており、約０．５ｃｍの厚さを有する。厚さは使用される特定の材料によって変わることがある。吸水性カバー７０の厚さは、色ブロックまたは色が塗られる物体の上に過剰の水を残すことなく色ブロック３０から溶けた色材料を取り出すために、カバーが十分な水を保持できるように選ばなければならない。カバー７０はブレード６８に接着固定されることが好ましい。
【００２２】
図１から図３に示す実施形態では中央本体１２は２つの水供給室２２を含む。図５から図７に示す実施形態では中央本体１２は４つの水供給室２２を含む。各水供給室２２は水制御エレメント８０を含むことが好ましい。水制御エレメント８０は吸水性ブロックであり、絵筆のカバー７０と同じスポンジ材料で作られていることが好ましい。ある好ましい実施形態では、各水供給室２２は矩形の外形を有し、水制御エレメント８０は類似の矩形の外形を有する。水制御エレメント８０は僅かに大きな長さと幅を有することが好ましく、下向きに水供給室２２の中に押し込まれ、水制御エレメント上の僅かな圧縮力の結果そこに保持される。
【００２３】
使用中は、水制御エレメント８０の底部分を満たすように水供給室２２に十分な水が入れられる。水制御エレメントの上部表面８２は露出しており、絵筆の彩色縁部６８を触れさせることができる。各室２２と水制御エレメント８０の長さは、絵筆ヘッド全体が水制御エレメントに接触できるように最も幅の大きな絵筆ヘッドより大きいことが好ましい。室は、水制御エレメントの上部表面８２を濡れたままに維持するために十分な水を含むことが好ましい。描き手は選択した絵筆の彩色縁部６８を水制御エレメント８０の上部表面８２に押し付けて、制御された量の水を絵筆に吸収させる。それから濡れた絵筆を１つまたは複数の色ブロックに当てて、水彩絵の具を絵筆カバー７０に溶解吸収させる。水制御エレメント８０と吸水性絵筆カバー７０との組合せが、色ブロックまたは描画表面の上に過剰の水を残すことなく、単一または複数の色を描画表面に塗る高度に効果的な彩色システムを提供する。
【００２４】
図２と図６に最もよく示されているように、本発明の好ましい実施形態では、パレット１４は中央本体１２と着脱可能に係合できる。絵画キットを使用中の場合、パレット１４は中央本体１２に係合している。本発明の好ましい実施形態では、各パレット１４は、中央本体１２に相応のインターロック部材９２に係合するインターロック部材９０を有する。本発明の１人の使用者用の実施形態では、追加のインターロック部材９２が中央本体１２の各側に設けられて、使用者が今後のために追加のパレットを加えることができるようになっている。１つまたは複数のパレットを中央本体１２に統合的にまたは固定して取り付けることができる。単一使用者用ユニットのある好ましい実施形態では、パレット１４は中央本体１２に統合的に取り付けられ、追加のパレットを取外し可能に取り付けるために、追加のインターロック部材９２が中央本体１２の各側に設けられている。
【００２５】
本発明の好ましい実施形態では、パレット上のインターロック部材９０は、中央部材における相応のスリットと係合する一対の突出したガイドである。ガイドがスリットと係合すると、パレット１４は中央部材に隣接して配置され、中央本体から離れることはできない。パレット１４を中央本体１２から取り外すためには、ガイドがスリットから外れるまでパレットを中央本体１２に対して下向きに動かす。本発明は、ここに記載のインターロック部材９０、９２に限定されることを意図するものではない。そうではなく、パレット１４を中央本体１２と着脱可能に係合させるその他の周知のインターロック機構を使用することもできる。
【００２６】
水彩画用キット１０を使用しないときには、１人の使用者の実施形態の場合は図３に、複数使用者の実施形態の場合は図７に示すように、キット１０を分解して収納構成にすることが好ましい。収納構成では、パレット１４上のインターロック部材９０は中央本体１２上のインターロック部材９２から外されて、パレット１４は中央本体１２から分離されている。本発明の１人の使用者の実施形態の収納構成は、図３に示すように、パレット１４が中央本体１２の上に置かれる。本発明の好ましい実施形態では、パレット１４の寸法は中央本体１２の寸法に一致し、パレットが中央本体の上に完全にぴったりはまる。
【００２７】
本発明の複数使用者の実施形態では、図７に示すように、パレット１４はそれぞれ、中央本体のそれぞれの水供給室２２に置かれている。各パレット１４は水供給室２２の中にぴったりはまるような寸法決定されていることが好ましい。絵筆もまた室２２の内部にぴったりはまるように寸法決定されていることが好ましく、収納構成ではパレット１４下の室２２内に置かれている。この収納構成によって、水彩画用キット１０を整えられたコンパクトなユニットとして収納することが可能になる。
【００２８】
上に説明した実施形態は、本発明による水彩画用キットの例示的な実施形態である。当業者なら、ここに開示された本発明の概念から逸脱することなく、上に説明した実施形態の多くの使用を行い、発展させることができよう。例えば、色ブロックを適当な形状にすることも、再使用可能または使い捨ての受部材に取外し可能または固定式に固定することもできる。絵筆、色ブロック、および水制御エレメントをさまざまな構造と寸法にすることもできる。したがって、本発明は添付の特許請求の範囲によってのみ定義されるものとする。
【図面の簡単な説明】
【図１】本発明による水彩画用キットの好ましい実施形態の斜視図である。
【図２】本発明の中央本体から分離された色パレットとともに示す図１の水彩画用キットの斜視図である。
【図３】本発明による水彩画用キットの収納構成の好ましい実施形態を示す図である。
【図４】移動止めを上に有する本発明の受部材の好ましい実施形態の側面図である。
【図５】本発明による多数の描き手のための水彩画用キットの好ましい実施形態の斜視図である。
【図６】本発明の中央本体から分離された色パレットとともに示す図５の水彩画用キットの斜視図である。
【図７】収納構成における本発明の水彩画用キットの好ましい実施形態を示す図である。
【符号の説明】
１０　水彩画用キット
１２　中央本体
１４　パレット
１６、１８、２０　絵筆
２１　仕切り
２２　水供給室
２４　色供給部分
２６　トレイ
２８　トレイ２６の凹状の上表面
３０　色ブロック
３２　色ブロック３０の底部
４０　受部材
４２　凹部
４４　開口部
４６　移動止め
４８　開口部４４の縁部
５０　延長部
５２　前端部
５４　後端部
５６　リップ
６０、６２、６４　絵筆のヘッド
６６　絵筆の柄
６８　絵筆のブレード、絵筆の彩色縁部
７０　吸水性カバー
８０　水制御エレメント
８２　水制御エレメント８０の上部表面
９０、９２　インターロック部材
【図１】
2004066800.tif 000003
【図２】
2004066800.tif 000004
【図３】
2004066800.tif 000005
【図４】
2004066800.tif 000006
【図５】
2004066800.tif 000007
【図６】
2004066800.tif 000008
【図７】
2004066800.tif 000009